(57)【要約】      （修正有）【課題】従来の計器の設置スペース内に容易に収めることができ、且つ、無停電での計器交換を、乗率の異なる計器との誤接続等の虞なく容易に且つ確実に行うことのできる、変流器内蔵据置端子を提供する。【解決手段】変流器内蔵据置端子は、計器に接続される計器接続部と配電線に接続される電線接続部を有する本体２と、外部カバーとを備えており、本体２内に変流器４または計器用変成器のいずれか一方が収容されている。計器接続部は、乗率ごとに外形を異ならせることのできる計器プラグ用ヘッダ６を備えている。本体２の変流器４の二次側にはさらに短絡プラグ用ヘッダ８が設けられている。本体２の内部カバー５は、短絡プラグを計器の接続コードに重なる位置で固定するように位置決めされたホルダーを備えている。【選択図】図２
2010145265.tif 000002
【特許請求の範囲】
【請求項１】
計器に接続される計器接続部と配電線に接続される電線接続部を有する本体と、外部カバーとを備えており、前記本体内に変流器または計器用変成器のいずれか一方が収容されている、変流器内蔵据置端子であって、前記本体の前記計器接続部がコネクタを備えている、変流器内蔵据置端子。
【請求項２】
前記計器は電力量計であり、前記コネクタの外形は乗率ごとに異なっている、請求項１に記載の変流器内蔵据置端子。
【請求項３】
前記コネクタは計器プラグ用ヘッダを備えており、前記計器プラグ用ヘッダは、前記計器の接続コードに取り付けられた計器プラグに接続される、請求項１または２に記載の変流器内蔵据置端子。
【請求項４】
前記外部カバーは、前記計器プラグを前記計器プラグ用ヘッダに向けて押し込み可能な突起を備えている、請求項３に記載の変流器内蔵据置端子。
【請求項５】
前記本体は、前記変流器の二次側または前記計器用変成器の変流器の二次側に対して並列に接続される前記計器プラグ用ヘッダ及び短絡プラグ用ヘッダを備えており、前記短絡プラグ用ヘッダは、短絡プラグに接続される、請求項３または４に記載の変流器内蔵据置端子。
【請求項６】
前記外部カバーは、前記短絡プラグ用ヘッダに接続された前記短絡プラグに当接可能な突起を備えている、請求項５に記載の変流器内蔵据置端子。
【請求項７】
前記本体は、内部カバーを備えている、請求項５または６に記載の変流器内蔵据置端子。
【請求項８】
前記内部カバーは、前記短絡プラグを前記計器の前記接続コードに重なる位置で固定するように位置決めされたホルダーを備えている、請求項７に記載の変流器内蔵据置端子。
【請求項９】
前記内部カバーは、前記計器プラグ用ヘッダに接続された前記計器プラグを覆う計器プラグカバーと、前記短絡プラグと協働して前記計器プラグカバーを開閉するための開閉機構とを備えている、請求項７または８に記載の変流器内蔵据置端子。
【請求項１０】
前記内部カバーは、通信装置が収容される通信装置収容部を備えている、請求項７乃至９のいずれか一項に記載の変流器内蔵据置端子。
【請求項１１】
前記計器と前記外部カバーは、強化耐侯形である、請求項１乃至１０のいずれか一項に記載の変流器内蔵据置端子。
【請求項１２】
前記本体内において、前記計器接続部と、前記変流器または前記計器用変成器と、内部一次導体とが一体化されている、請求項１乃至１１のいずれか一項に記載の変流器内蔵据置端子。
【請求項１３】
前記電線接続部は、前記配電線を短絡させる短絡装置に対する接続部を形成することができる、請求項１２に記載の変流器内蔵据置端子。
【発明の詳細な説明】
【技術分野】
【０００１】
本発明は、例えば電力量計の計器に使用される、変流器内蔵据置端子に関し、特に従来の計器の設置スペース内に容易に収めることができ、且つ、無停電での計器交換を、異極の電線どうしを接触させる等の虞なく容易に且つ確実に行うことのできる、変流器内蔵据置端子に関する。
【背景技術】
【０００２】
電力量計の計器は、電流および電圧を検出し、処理し易い信号に変換する電流センサおよび電圧センサと、電流センサおよび電圧センサで変換された信号を乗算処理する乗算部と、乗算値を基に電力量を表示する表示部とを備えており、これらは、計器用変成器と組み合わせず単独で使用される単独計器と、変流器または計器用変成器と組み合わせて使用される変成器付計器とに分類される。計器の取り付けに使用できる壁面の面積は限られているため、従来、比較的大型の変流器または計器用変成器は、計器とは別の設置スペースに離れて配置され、両者は電線によるねじ締めで接続されている。
【０００３】
しかし、計器は、検定期限が定められており、所定期間ごとの交換が義務付けられている。計器交換時、ねじ締めにより固定された電線を計器から着脱する作業は煩雑であり、また、計器から外された異極の電線同士を接触させる虞等がある。また、無停電での計器交換作業をする場合、従来のバイパス工事は費用も時間もかかり、非熟練者にとっては難しい高度な技術を必要とする。また、変成器付計器と変流器、または変成器付計器と計器用変成器とを接続する場合、乗率を合わせる必要があるが、従来、乗率の確認は目視で行われており、変流器または計器用変成器と乗率の異なる計器を接続してしまう虞がある。変成器付計器と変流器、または変成器付計器と計器用変成器のねじ締めによる接続では、構造上、異なる乗率の組み合わせでも接続できてしまうことから、これを効果的に防止することが難しかった。
【０００４】
特開平７−１６７８９４号は、コネクタの着脱による計器交換が可能な電力量計を開示している。この電力量計では、計器を、電流センサおよび電圧センサを内蔵する基礎変換部と、基礎変換部からの電圧信号と電流信号を乗算し電力量を表示する静止形演算表示部に分割し、両者をコネクタにより接続している。これにより、経年的に劣化する要素を含み検定期限の短い静止形演算表示部を、検定期限の長い基礎変換部から容易に分離・結合可能としている。また、基礎変換部内に安全回路を設けることにより、二次側の高電圧の発生を防止し、コネクタによる着脱のみで、無停電での静止形演算表示部の交換作業を可能にしている。
【０００５】
しかし、特開平７−１６７８９４号のように、計器を分割し別々に検定する方法は、現行の制度では認められていない。
【特許文献１】特開平７−１６７８９４号
【発明の開示】
【発明が解決しようとする課題】
【０００６】
本願発明は、現行制度に合った方法で計器端子部との接続にコネクタを使用し、異極の電線同士を接触させる等の虞なく、計器交換の作業性を向上させることを目的とする。さらに、本願発明は、短絡部にコネクタを使用し、無停電での計器交換の作業性を向上させることを目的とする。さらに、本願発明は、変流器または計器用変成器に、乗率の異なる計器が接続されることを防止することを目的とする。
【課題を解決するための手段】
【０００７】
請求項１の発明によれば、計器に接続される計器接続部と配電線に接続される電線接続部を有する本体と、外部カバーとを備えており、前記本体内に変流器または計器用変成器のいずれか一方が収容されている、変流器内蔵据置端子であって、前記計器接続部がコネクタを備えている、変流器内蔵据置端子が提供される。この構成によれば、変流器または計器用変成器を据置端子の密閉空間内に保持できるので、変流器または計器用変成器自体を小型化でき、変流器等と計器を含む全体を、従来の計器の設置スペース内に収め、据置端子と計器とを小型のコネクタで接続することができる。これにより、従来のねじ締めによる接続に比べて、計器交換を容易に行うことができ、また、計器を分割することなく、現行制度に合った方法で計器交換作業を行うことができる。
【０００８】
請求項２の発明によれば、請求項１に記載の変流器内蔵据置端子において、前記計器は電力量計であり、前記コネクタの外形は乗率ごとに異なっている。この構成により、変流器または計器用変成器が乗率の異なる計器と接続されることを、確実に防止することができる。
【０００９】
請求項３の発明によれば、請求項１または２に記載の変流器内蔵据置端子において、前記コネクタは計器プラグ用ヘッダを備えており、前記計器プラグ用ヘッダは、前記計器の接続コードに取り付けられた計器プラグに接続される。この構成によれば、計器の接続コードに取り付けられた計器プラグを、据置端子の計器プラグ用ヘッダに抜き差しするだけで、異極の電線同士の接触や電線の誤接続等の虞なく、容易に計器交換作業を行うことができる。
【００１０】
請求項４の発明によれば、請求項３に記載の変流器内蔵据置端子において、前記外部カバーは、前記計器プラグを前記計器プラグ用ヘッダに向けて押し込み可能な突起を備えている。この構成によれば、計器プラグの計器プラグ用ヘッダへの差し込みが不完全であっても、外部カバーの突起によって、計器プラグを計器プラグ用ヘッダに完全に押し込むことができ、計器と据置端子を確実に接続することができる。
【００１１】
請求項５の発明によれば、請求項３または４に記載の変流器内蔵据置端子において、前記本体は、前記変流器の二次側または前記計器用変成器の変流器の二次側に対して並列に接続される前記計器プラグ用ヘッダ及び短絡プラグ用ヘッダを備えており、前記短絡プラグ用ヘッダは、短絡プラグに接続される。この構成によれば、短絡プラグを、据置端子の短絡プラグ用ヘッダに抜き差しするだけで、容易に変流器の二次側を短絡させることができる。従って、無停電での計器交換作業中に電圧を発生させる虞がない。また、煩雑なバイパス工事等を行うことなく、無停電での計器交換作業を容易に行うことができる。
【００１２】
請求項６の発明によれば、請求項５に記載の変流器内蔵据置端子において、前記外部カバーは、前記短絡プラグ用ヘッダに接続された前記短絡プラグに当接可能な突起を備えている。この構成によれば、短絡プラグが据置端子の短絡プラグ用ヘッダに接続されている間は、外部カバーの突起が短絡プラグに当接することにより、外部カバーを閉じることが妨げられる。これにより、作業者の短絡プラグの外し忘れを防止し、無停電での計器交換終了後に変流器の二次側が短絡されたまま放置されることを防止することができる。
【００１３】
請求項７の発明によれば、請求項５または６に記載の変流器内蔵据置端子において、前記本体は、内部カバーを備えている。
【００１４】
請求項８の発明によれば、請求項７に記載の変流器内蔵据置端子において、前記内部カバーは、前記短絡プラグを前記計器の前記接続コードに重なる位置で固定するように位置決めされたホルダーを備えている。この構成によれば、内部カバーのホルダーによって、短絡プラグを、計器の接続コードの上に重ねて固定することができる。これにより、変流器の二次側が短絡される前に計器プラグが計器プラグ用ヘッダから外されることを防止することができる。
【００１５】
請求項９の発明によれば、請求項７または８に記載の変流器内蔵据置端子において、前記内部カバーは、前記計器プラグ用ヘッダに接続された前記計器プラグを覆う計器プラグカバーと、前記短絡プラグと協働して前記計器プラグカバーを開閉するための開閉機構とを備えている。この構成によれば、計器プラグカバーは、短絡プラグと協働して開閉されるので、短絡プラグを関係者のみが所持し、第三者が変流器の二次側を短絡して盗電することを防止することができる。また、計器交換時に、変流器二次側が開放されることを防止することができる。
【００１６】
請求項１０の発明によれば、請求項７乃至９のいずれか一項に記載の変流器内蔵据置端子において、前記内部カバーは、通信装置が収容される通信装置収容部を備えている。この構成により、将来の自動検針等に備えて、通信装置の収納スペースを確保することができ、また、通信装置を電力封印内におくことにより、関係者のみが容易にアクセスできるようにすることができる。
【００１７】
請求項１１の発明によれば、請求項１乃至１０のいずれか一項に記載の変流器内蔵据置端子において、前記計器と前記外部カバーは、強化耐侯形である。この構成により、計器と外部カバーに優れた耐侯性能を付与することができる。
【００１８】
請求項１２の発明によれば、請求項１乃至１１のいずれか一項に記載の変流器内蔵据置端子において、前記本体内において、前記計器接続部と、前記変流器または前記計器用変成器と、内部一次導体とが一体化されている。この構成により、設置状態から据置端子を外すことなく、変流器または計器用変成器を交換することができるので、変流器または計器用変成器の容量変更等を容易に行うことができる。
【００１９】
請求項１３の発明によれば、請求項１２に記載の変流器内蔵据置端子において、前記電線接続部は、前記配電線を短絡させる短絡装置に対する接続部を形成することができる。この構成により、無停電での変流器または計器用変成器の交換を容易に行うことができる。
【発明の効果】
【００２０】
本願発明によれば、現行制度に合った方法で計器端子部との接続にコネクタを使用し、異極の電線同士を接触させる等の虞なく、計器交換の作業性を向上させることができる。さらに、短絡部にコネクタを使用し、無停電での計器交換の作業性を向上させることができる。さらに、本願発明によれば、変流器または計器用変成器に、乗率の異なる計器を接続することを防止することができる。
【発明を実施するための最良の形態】
【００２１】
以下、添付図面を参照して、本発明の一実施形態を説明する。
［変流器内蔵据置端子の全体概要］
図１は、本実施形態の変流器内蔵据置端子１を、これが接続される計器１００と共に示す分解斜視図である。本実施形態の変流器内蔵据置端子１（以下、「据置端子１」と称する）は、計器１００に接続される計器接続部と配電線（図示せず）に接続される電線接続部を有する本体２と、外部カバー３とを備えている。本体２は、さらに、内部カバー５を備えており（図２参照）、図１は、本体２に内部カバー５が取り付けられた状態を示している。図３は、本体２に計器１００が接続され且つ外部カバー３が取り付けられた、据置端子１の組み立て完成図である。図３に示す状態で、本実施形態の据置端子１は、計器１００と一体的に建造物の壁面等に取り付けられる。尚、以下の説明において、「上」、「下」、「左」、「右」、「前」、「後」、「正面」、「背面」、「裏面」等の方向を示す用語は、特に断りのない限り、据置端子１の図３に示す取付状態に関して用いられる。
【００２２】
［本体２について］
図２は、内部カバー５が外された本体２の内部を示す。図２に示すように、本体２には、変流器４が内蔵されている。具体的には、本体２は、前面が開放されたケース部３５を備えており、変流器４は、ケース部３５の内部に配置される。尚、変流器４は、計器用変成器（換言すれば、変流器及び変圧器）であってもよい。さらに、ケース部３５内では、計器プラグ用ヘッダ（コネクタ）６と短絡プラグ用ヘッダ（コネクタ）８が保持部１４によって保持されている。保持部１４は、ケース部３５の後壁から前方に延びる２枚の板状部（符号省略）であり、これら板状部の上下方向略中央に設けられた突起と、該板状部の上下方向端部にこれと一体的に形成されている取付ボス部２１（後述）との間で、計器プラグ用ヘッダ６及び短絡プラグ用ヘッダ８が、それぞれの位置に保持される。計器プラグ用ヘッダ６と短絡プラグ用ヘッダ８は、それぞれ、変流器４の二次側に並列に接続されており（図４参照）、各ヘッダ６、８に接続された変流器４の二次側導体等は、２枚の板状部の間の空間内を通って配置される。本実施形態では、計器プラグ用ヘッダ６は、計器１００の接続コード１０２に取り付けられた計器プラグ１０１（図１）に接続されるものであり、本体２の計器接続部を構成している。短絡プラグ用ヘッダ８は、計器１００を無停電で交換するために、後述する短絡プラグ１８に接続される。
【００２３】
図１に示すように、本体２の上部には、貫通穴１１が形成されており、計器１００の接続コード１０２に取り付けられた計器プラグ１０１は、貫通穴１１を通って、計器プラグ用ヘッダ６に接続される。尚、２００は、据置端子１を計器１００と共に壁面等に取り付けるための取付穴（符号省略）を有する取付板である。
【００２４】
本体２の下端部は、配電線が挿入される配電線挿入穴１２（図１１（Ａ）（Ｂ）参照）とねじ締め開口１３とを備える電線接続部を形成している。配電線挿入穴１２には端子金具が配置されており、配電線挿入穴１２から端子金具に挿入された配電線は、ねじ締め開口１３において、ねじ１５で端子金具に締め付け固定されている。本実施形態では、各ねじ締め開口１３に、２本のねじ１５が配置されている。
【００２５】
図４に、据置端子１と短絡プラグ１８の回路構成を示す。図４中、１Ｓ、２Ｓ、３Ｓは、電源側の電線接続部の端子、３Ｌ、２Ｌ、１Ｌは、負荷側の電線接続部の端子を示す。ＣＴ１は、電線接続部の端子１Ｓから１Ｌへ流れる電流を変換する変流器４を示し、ＣＴ２は、電線接続部の端子３Ｓから３Ｌへ流れる電流を変換する変流器４を示す。Ｐ１、Ｐ２、Ｐ３は、線間の電圧検出と計器１００の回路電源の生成に使用される電圧端子を示す。１Ｓ’、１Ｌ’、３Ｓ’３Ｌ’は電流端子を示す。図４に示すように、変流器４（ＣＴ１、ＣＴ２）の二次側では、計器プラグ用ヘッダ６と短絡プラグ用ヘッダ８の２つのコネクタが並列に設けられている。短絡プラグ１８の内部では、短絡コード１８ａを介して同極同士が短絡されている。
【００２６】
本実施形態では、計器１００の定格電流は５Ａであり、定格電圧は、例えば、１００Ｖ、２００Ｖである。このため、計器接続部に小型のコネクタを用いることができる。変流器４（ＣＴ１、ＣＴ２）の定格二次電流は、計器１００の定格電流に合わせて５Ａである。
【００２７】
尚、本体２に内蔵される変流器４は、計器から離れて電線によるねじ締めで接続される従来の変流器と比べて、寸法が小型化されている。従来の変流器は、鉄心が外気に触れないように樹脂モールド等されているため比較的大きな寸法を有しているが、本発明では、変流器を据置端子１の本体２の密閉空間内に保持できるため、外気に触れないように鉄心部分をモールドする必要がない。さらに、外部配線による損失を考慮する必要がないので、鉄心自体の大きさも小さくすることができる。一方、従来の計器は、電子部品の小型化や削減により既に内部に、余剰スペースを含んでいる。本願発明では、変流器の小型化と共に、従来、内部に余剰空間を含んでいた計器部分も縦方向に小型化し、変流器と計器を含む全体を、従来の計器の設置スペース内に収めている。
【００２８】
このように、本実施形態の変流器内蔵据置端子１では、変流器４を据置端子１の密閉空間内に保持できるので、変流器４を従来のものに比べて小型化でき、変流器４と計器１００を含む全体を、従来の計器の設置スペース内に収め、据置端子１と計器１００とを小型のコネクタで接続することができる。これにより、従来のねじ締めによる接続に比べて、電線の誤接続や異極の電線同士の接触等の虞なく、計器交換を容易に行うことができる。また、計器を分割することなく、現行制度に合った方法で計器交換作業を行うことができる。
【００２９】
また、本発明によれば、計器プラグ用ヘッダ（コネクタ）６の外形を乗率ごとに変えることができる。計器が、変流器または計器用変成器と組み合わせて使用される場合、実際に需要家が使用した電気使用量を算定する際に、計器の指示値に電圧比や電流比（乗率）をそれぞれ乗じる必要がある。コネクタの外形を変える例として、例えば、ヘッダ側のコネクタ（計器プラグ用ヘッダ６）にコーディングキーを取り付け、このコーディングキーに対応する位置にあるプラグ側のコネクタ（計器プラグ１０１）のコーディングフィンガーを折る。こうして、コーディングキーの位置とコーディングフィンガーの折られた位置とが一致する場合のみ、計器プラグ用ヘッダ６と計器プラグ１０１を接続できるようにする。乗率によってこれらの位置を変えることにより、計器１００を交換する際、据置端子１に内蔵された変流器４の乗率と異なる乗率の計器を接続させることが防止される。尚、コネクタの外形の例は、上記の例に限られない。
【００３０】
尚、後述するように、本発明によれば、計器接続部と、変流器及び内部一次導体とを一体化させることができる（図１１（Ａ）（Ｂ）参照）。この場合、設置状態から据置端子１を外すことなく、変流器の容量変更等を容易に行うことができる。
【００３１】
［内部カバー５について］
図２に示すように、内部カバー５は、取り付けねじ２０、６０を介してケース部３５に取り付けられる。ケース部３５の後壁には、取り付けねじ２０、６０を受け入れるための取付ボス部２１、６１が形成されており、取り付けねじ２０、６０は、取付ボス部２１、６１の内側に螺合される。尚、取付けねじ６０は、本体２を封印するための封印ねじとしても機能する。
【００３２】
また、図２に示すように、内部カバー５は、計器プラグ用ヘッダ６を受け入れるための開口７と、短絡プラグ用ヘッダ８を受け入れるための開口９を備えている。図１に示されるように、ケース部３５に内部カバー５が取り付けられると、計器プラグ用ヘッダ６と短絡プラグ用ヘッダ８のプラグ側が、開口７、９を通して露出される。
【００３３】
内部カバー５の前面において、開口７の上端部を除く周囲には隔壁が形成されており、開口９の下端部を除く周囲にも隔壁が形成されている。
【００３４】
さらに、内部カバー５の前面には、開口７の上側に、短絡プラグ１８を保持するホルダー１９が形成されている。本実施形態では、ホルダー１９は、内部カバー５の前面から延びる２本のフック状の突起１９ａ、１９ｂと、その間に形成される小突起６２ａ、６２ｂを備えている。小突起６２ａ、６２ｂは、突起１９ａ、１９ｂよりも前後方向の長さが小さく設定されており、短絡プラグ１８は、フック状の突起１９ａ、１９ｂの爪部（符号省略）と小突起６２ａ、６２ｂの前端面との間に嵌め込まれた状態で保持される。ホルダー１９は、内部カバー５において、短絡プラグ１８を計器１００の接続コード１０２に重なる位置で固定するように位置決めされている。即ち、小突起６２ａ、６２ｂの間の空間に接続コード１０２が配置される。図５に、計量時における、ホルダー１９に保持された短絡プラグ１８と、接続コード１０２及び計器プラグ１０１（開口７を通して計器プラグ用ヘッダ６に接続されている）との位置関係を示す。
【００３５】
短絡プラグ１８が計器１００の接続コード１０２に重なる位置で固定されているため、短絡プラグ１８をホルダー１９から外さなければ、計器プラグ１０１を計器プラグ用ヘッダ６から外すことができない。これにより、変流器４の二次側が短絡される前に計器プラグ１０１が計器プラグ用ヘッダ６から外されることを防止することができる。
【００３６】
尚、内部カバー５は、ホルダー１９に代えて、計器プラグ用ヘッダ６に接続された計器プラグ１０１を覆う計器プラグカバー２４と、短絡プラグ１８と協働して計器プラグカバー２４を開閉するための開閉機構を備えることができる。開閉機構は、開口７の周囲の隔壁内に形成することができる。図６（Ａ）（Ｂ）に示す例では、隔壁の一端に計器プラグカバー２４の端部を枢動可能に保持するヒンジ部が設けられ、隔壁の他端には、上下に２つの穴５０、５１が形成されている。穴５０、５１は、それぞれ、計器プラグカバー２４のフック部５２と短絡プラグ１８の突起部５３を受け入れ可能である。隔壁内には、例えば、計器プラグカバー２４のフック部５２と係合可能な係合部材（図示せず）が配置され、短絡プラグ１８の突起部５３の抜き差しによって、該係合部材がフック部５２と係合／非係合状態に置かれる。しかし、開閉機構の例はこれに限られない。開閉機構は、計器プラグカバー２４の開閉に短絡プラグ１８を必要とさせるものであればよい。これにより、変流器４の二次側を短絡させる前に計器プラグ１０１が外されることを防止することができる。また、短絡プラグ１８を関係者のみが所持すれば、第三者が変流器の二次側を短絡して盗電することを防止することができる。
【００３７】
また、本実施形態では、内部カバー５は、通信装置１１０を収容するための通信装置収容部１０を備えている。これにより、通信装置１１０を計器１００の外側の、外部カバー３による電力封印内に設置することができるので、必要に応じて通信装置１１０を容易に着脱でき、更新やメンテナンスを効率的に行うことができる。通信装置プラグ２５は、本体２の貫通穴１１を通じて計器側のヘッダ（符号省略）に接続される（図１、図１０参照）。
【００３８】
［外部カバー３について］
据置端子１の本体２を計器１００に接続し、さらに外部カバー３を取り付けた状態を図３に示す。この状態で、外部カバー３は、計器１００に接続された据置端子１の本体２の前面及び左右側面を完全に覆う前壁及び左右側壁を備えている。外部カバー３の下壁は、本体２の下面に形成された配電線挿入穴にアクセス可能な開口部（図７参照）を備えている。また、外部カバー３の上面は、計器１００の接続コード１０２が貫通穴１１を通過することを許容するように開放されている。計器１００と外部カバー３は、強化耐候形である（ＪＩＳ  Ｃ  １２８１）。
【００３９】
図７に示すように、外部カバー３は、裏面に、短絡プラグ用ヘッダ８に接続された短絡プラグ１８に当接可能な突起２２を備えている。計器交換の終了後、短絡プラグ１８を短絡プラグ用ヘッダ８から引き抜く必要があるが、このような突起２２を設けることによって、計器交換の終了後、短絡プラグ１８を短絡プラグ用ヘッダ８から外し忘れることを防止することができる。即ち、短絡プラグ１８が短絡プラグ用ヘッダ８に接続された状態では、外部カバー３の突起２２が短絡プラグ１８に当たって、外部カバー３を完全に閉じることができない（図８（Ａ））。短絡プラグ１８を引き抜いてホルダー１９に戻した状態では、外部カバー３を完全に閉じることができる（図８（Ｂ））。突起２２の形状及び数は、図７に示すものに限られない。図７の例では、突起２２は、中空の角柱形状であり、中空部周囲の突起部が短絡プラグ１８に当接する。このとき、突起２２の中空部内には、短絡プラグ１８の前面に位置する短絡コード１８ａが受け入れられる。突起２２は、外部カバー３の裏面において、短絡プラグ用ヘッダ８に実質的に対向する位置に形成されていればよく、突起２２の突出長さは、短絡プラグ１８が短絡プラグ用ヘッダ８に接続されている時は、短絡プラグ１８に当接して外部カバー３の取り付けを妨げることができ、短絡プラグ１８が短絡プラグ用ヘッダ８から外された時には、外部カバー３が完全に閉じられることを妨げない長さであればよい。尚、説明の簡単のため、図７及び８（Ａ）（Ｂ）に示す外部カバー３では、後述する突起２３は省略されている。
【００４０】
図９に示すように、外部カバー３は、さらに、計器プラグ１０１を計器プラグ用ヘッダ６に向けて押し込み可能な突起２３を備えることができる。外部カバー３を閉じる際、計器プラグ１０１の計器プラグ用ヘッダ６への差し込みが不完全であった場合、突起２３が計器プラグ１０１に当接し、これを完全に押し込むように機能する。突起２３の数および外形は特に限られない。突起２３は、外部カバー３の裏面において、計器プラグ用ヘッダ６に実質的に対向する位置に形成されていればよく、突起２３は、外部カバー３が完全に閉じられた状態で、計器プラグ用ヘッダ６に接続された計器プラグ１０１と接触する程度の突出長さを有していればよい。このような突出長さであれば、外部カバー３を閉じる際に、計器プラグ１０１を計器プラグ用ヘッダ６に完全に差し込むことができる。しかし、接続コード１０２に過度な押圧力を加えることを避けるため、図９に示すように、計器プラグ１０１の本体の、接続コード１０２が存在しない部分と接触するように、例えば、４本の略円柱状の突起２３を形成することが好ましい。このような突起２３を形成することにより、計器１００と据置端子１の電気的接続を確実に行うことができる。
【００４１】
図３等に示されるように、外部カバー３は、外部カバー３を計器１００に固定するための一対の計器固定ねじ１７と、本体２に固定するための一対の本体固定ねじ１７´を備えている（尚、図３では右側端部の計器固定ねじ１７、本体固定ねじ１７´のみが示されているが、左側端部にも同様の計器固定ねじ１７、本体固定ねじ１７´が設けられている）。また、図１及び図２に示されるように、本体２は、その上端部の左右両側に、本体２を計器１００に固定するための計器固定ねじ３８を備えている（図１及び図２では、右側の計器固定ねじ３８のみが示されている）。さらに、図１に示すように、計器１００の下端部の左右両側には、２枚の取り付け金具１０３が取り付けられており、各取り付け金具１０３には、計器固定ねじ３８を受け入れるねじ穴１０４と、外部カバー３の計器固定ねじ１７を受け入れるねじ穴１０５が形成されている。本体２の下端部の左右両側には、外部カバー３の本体固定ねじ１７´を受け入れるねじ穴３７を有する取り付け金具３６が取り付けられている（図１及び図２では右側の取り付け金具３６のみ示す）。据置端子１の組み立て時、内部カバー５が取り付けられた本体２は、計器１００の取り付け金具１０３のねじ穴１０４及び計器固定ねじ３８を介して計器１００に固定され、次に、外部カバー３が、計器１００の取り付け金具１０３のねじ穴１０５及び計器固定ねじ１７と、本体２の取り付け金具３６のねじ穴３７及び本体固定ねじ１７´によって計器１００と本体２に固定される。組み立て完成時、各部はパッキンにより防水構造となっている。
【００４２】
［無停電による計器交換方法］
本発明の実施形態の据置端子１における、無停電での計器交換方法の一例を示す。
【００４３】
外部カバー３の計器固定ねじ１７と本体固定ねじ１７´をゆるめて外部カバー３を計器１００と本体２から外し（この状態を図１０に示す）、さらに、通信装置プラグ２５を計器１００から外す。
【００４４】
次に、計器１００を据置端子１から外す必要があるが、ここで、変流器４の二次側を短絡せずに計器１００を据置端子１から外した場合、変流器４の一次側は通電状態にあるため、二次側に電圧が発生する。このため、計器１００を外す前に変流器４の二次側を短絡させる必要がある。そこで、ホルダー１９に固定されている短絡プラグ１８をホルダー１９から外し、短絡プラグ用ヘッダ８に接続する。
【００４５】
このとき、短絡前に計器プラグ１０１を計器プラグ用ヘッダ６から外すことを防ぐため、上述のように、本実施形態の据置端子１では、ホルダー１９が、短絡プラグ１８を計器１００の接続コード１０２に重なる位置で固定するように位置決めされている。これにより、計量時の状態では短絡プラグ１８はホルダー１９に固定されているが、この状態で計器プラグ１０１を計器プラグ用ヘッダ６から外そうとすると、接続コード１０２上の短絡プラグ１８が邪魔になり、計器プラグ１０１を外すことができない。即ち、短絡プラグ１８をホルダー１９から外した後でなければ、計器プラグ１０１を外すことができないようになされている。
【００４６】
短絡プラグ１８をホルダー１９から外した後、短絡プラグ１８を短絡プラグ用ヘッダ８に接続する。次に、計器プラグ１０１を計器プラグ用ヘッダ６から外し、計器固定ねじ３８を外して、計器１００を本体２から外す。
【００４７】
尚、上述のように、本発明の据置端子１では、ホルダー１９に代えて、計器プラグ用ヘッダ６に接続された計器プラグ１０１を覆う計器プラグカバー２４と、短絡プラグ１８と協働して計器プラグカバー２４を開閉するための開閉機構とを設けることができる（図６（Ａ）（Ｂ））。計器プラグカバー２４の開閉に短絡プラグ１８を必要とするため、短絡プラグ１８の接続前に計器プラグ１０１が外されて、変流器４の二次側が開放されることを防止することができる。さらに、関係者だけが短絡プラグ１８を所持することにより、第三者が計器プラグカバー２４を開いて計器プラグ１０１を外し、盗電することを防止することができる。
【００４８】
計器交換後、交換後の計器１００の計器プラグ１０１を、計器プラグ用ヘッダ６に接続する。このとき、計器プラグ用ヘッダ６の外形を乗率ごとに異なるものとしておくことにより、異なる乗率の計器との誤接続を防止することができる。
【００４９】
短絡プラグ１８を短絡プラグ用ヘッダ８から外してホルダー１９に戻した後、計器１００の取り付け金具１０３のねじ穴１０４及び本体２の計器固定ねじ３８を介して本体２と計器１００を接続し、次に、外部カバー３を本体２と計器１００に取り付ける。このとき、短絡プラグ１８が短絡プラグ用ヘッダ８に接続されたままであると、外部カバー３の突起２２が短絡プラグ１８に当接し、外部カバー３を正常に取り付けることができないので、短絡プラグ１８の外し忘れが防止される（図８（Ａ）（Ｂ））。また、計器プラグ１０１の計器プラグ用ヘッダ６への差し込みが不十分であった場合、外部カバー３の突起２３によって、計器プラグ１０１が計器プラグ用ヘッダ６に向けて押し込まれ、確実に接続される（図９）。最後に計器固定ねじ１７と本体固定ねじ１７´を、それぞれ、計器１００の取り付け金具１０３のねじ穴１０５と本体２の取り付け金具３６のねじ穴３７に締め付けて、計器交換作業が終了する。
【００５０】
［変流器交換方法］
また、上記したように、本発明では、本体２内において、計器接続部と、変流器４および内部一次導体とを一体化することができる。この場合の構成を、図１１（Ａ）〜図１２（Ｃ）に示す。この構成では、上記実施形態とは異なり、ケース部３５とほぼ対応する外形を有する内部ケース２６を、本体２に着脱可能に配置する。具体的には、内部ケース２６は、端子部３２を本体２の電線接続部の端子金具に接続することにより本体２に固定される。即ち、端子部３２は、変流器４を配電線と電気的に接続すると共に、内部ケース２６を本体２に固定する機能を有している。内部ケース２６内には、計器プラグ用ヘッダ６を含む計器接続部と、短絡プラグ用ヘッダ８と、変流器４および内部一次導体が配置されている。さらに、計器プラグ用ヘッダ６と短絡プラグ用ヘッダ８を保持する保持部が、内部ケース２６の後壁に形成されており、この保持部は、内部ケース２６の後壁に形成されているという点を除いて、上述の保持部１４と実質的に同様の構成を有している。内部ケース２６の前面には、短絡プラグ１８を保持するホルダー２８、計器プラグ用ヘッダ６を受け入れる開口２９、短絡プラグ用ヘッダ８を受け入れる開口３０、及び通信装置収容部３１が形成されており、これらは、内部ケース２６の前面に形成されているという点を除いて、上述のホルダー１９、開口７、開口９、及び通信装置収容部１０と実質的に同様の構成を有している。３２は、電源側（１Ｓ、３Ｓ）端子部及び負荷側（１Ｌ、３Ｌ）端子部であり、内部ケース２６内の内部一次導体に接続されると共に、本体２の電線接続部の、対応する端子金具に着脱可能に接続される。この構成により、据置端子１の本体２を建造物の壁面等に取り付けられた設置状態から外すことなく、変流器４を交換することができるので、変流器の容量変更等を容易に行うことができる。また、変流器の交換は、後述するように、短絡装置３３を用いて無停電で行うことができる。
【００５１】
無停電で変流器４を交換するときは、外部カバー３の計器固定ねじ１７と本体固定ねじ１７´をゆるめて外部カバー３を計器１００と本体２から外す。次に、短絡プラグ１８を、開口３０の短絡プラグ用ヘッダ８に接続し、開口２９の計器プラグ１０１を計器プラグ用ヘッダ６から外す。さらに、通信装置プラグ２５を計器１００から外して通信装置１１０を内部ケース２６の通信装置収容部３１から取り除く。この時、計器１００は、計器固定ねじ３８をゆるめることにより本体２から外すことができるが、必ずしも本体２から外さなくてもよい。本実施形態では、計器１００は、本体２から外されている（この状態を図１１（Ｂ）に示す）。次に、１Ｓ、３Ｓ、１Ｌ、３Ｌ側の電線接続部（図４に示す配列に対応する）のねじ締め開口１３における上側のねじ１５を外す（図１２（Ａ））。ねじ１５が外されたねじ穴（符号省略）に、短絡装置３３を取り付け、次に、端子部３２を本体２の電線接続部の端子金具から外して、変流器４を内部ケース２６ごと、本体２のケース部３５から取り出す（図１２（Ｂ）（Ｃ））。尚、２Ｓ、２Ｌ側の配電線は、据置端子１の内部で短絡されている。変流器４を交換後、内部ケース２６をケース部３５内に戻し、端子部３２を接続して内部ケース２６を本体２に固定した後、上記と逆の手順で計量状態に戻す。このときも、計器交換時と同様に、外部カバー３の突起２２によって短絡プラグ１８の外し忘れが防止され（図８（Ａ）（Ｂ））、外部カバー３の突起２３によって計器プラグ１０１と計器プラグ用ヘッダ６との接続が確実に行われる（図９）。
【００５２】
尚、電圧も小さく変換する必要がある場合、本発明の据置端子１では、変流器４に代えて、計器用変成器（換言すれば、変圧器と変流器）を本体２に内蔵してもよい。この場合も、変流器の定格二次電流は、計器の定格電流に合わせて５Ａとし、変圧器の定格二次電圧は、計器の定格電圧に合わせて、例えば、１１０Ｖ（三相３線式の場合）とする。この場合も、計器接続部に小型のコネクタを使用可能である。
【産業上の利用分野】
【００５３】
本発明は、電力量計等の、変流器または計器用変成器と組み合わせて使用される変成器付計器に使用される据置端子、及び変成器付計器の無停電による計器交換方法、乗率の異なる計器の誤接続防止に関連する機器等に適用される。
【図面の簡単な説明】
【００５４】
【図１】本実施形態の変流器内蔵据置端子を、計器と共に示す分解斜視図である。
【図２】本実施形態の変流器内蔵据置端子の本体を、内部カバーを外した状態で示す斜視図である。
【図３】本実施形態の変流器内蔵据置端子の組み立て完成図である。
【図４】本実施形態の変流器内蔵据置端子の回路構成図である。
【図５】内部カバーの部分拡大斜視図である。
【図６】計器プラグカバーの使用方法を説明する図である。
【図７】外部カバーの裏面側を示す図である。
【図８】外部カバーの突起の作用を説明する図である。
【図９】外部カバーの突起の作用を説明する図である。
【図１０】本実施形態の変流器内蔵据置端子を、外部カバーを外した状態で示す斜視図である。
【図１１】（Ａ）は、変流器を内蔵した内部ケースが、本体から外された状態を示す分解斜視図であり、（Ｂ）は内部ケースを本体に取り付けた状態を示す図である。
【図１２】変流器の交換方法を説明する図である。
【符号の説明】
【００５５】
１  変流器内蔵据置端子
２  本体
３  外部カバー
４  変流器
５  内部カバー
６  計器プラグ用ヘッダ
７  開口
８  短絡プラグ用ヘッダ
９  開口
１０  通信装置収容部
１１  貫通穴
１２  配電線挿入穴
１３  ねじ締め開口
１４  保持部
１５  ねじ
１７、１７´  固定ねじ
１８  短絡プラグ
１８ａ  短絡コード
１９  ホルダー
１９ａ、１９ｂ  突起
２０  取り付けねじ
２１  取付ボス部
２２、２３  突起
２４  計器プラグカバー
２５  通信装置プラグ
２６  内部ケース
２７  ねじ
２８  ホルダー
２９  開口
３０  開口
３１  通信装置収容部
３２  端子部
３３  短絡装置
３５  ケース部
３６  取り付け金具
３７  ねじ穴
３８  計器固定ねじ
５０、５１  穴
５２  フック部
５３  突起部
６０  取り付けねじ
６１  取付ボス部
６２ａ、６２ｂ  小突起
１００  計器
１０１  計器プラグ
１０２  接続コード
１０３  取り付け金具
１０４、１０５  ねじ穴
１１０  通信装置
２００  取付板
【図１】
2010145265.tif 000003
【図２】
2010145265.tif 000004
【図３】
2010145265.tif 000005
【図４】
2010145265.tif 000006
【図５】
2010145265.tif 000007
【図６】
2010145265.tif 000008
【図７】
2010145265.tif 000009
【図８】
2010145265.tif 000010
【図９】
2010145265.tif 000011
【図１０】
2010145265.tif 000012
【図１１】
2010145265.tif 000013
【図１２】
2010145265.tif 000014